(57)【要約】      （修正有）【課題】燃料補給、オイル交換、バッテリーチャージの要否判断を、監視者に適切に行わせる冷凍コンテナ管理システムを提供する。【解決手段】通信サーバー装置３００は、オイル交換タイマー２Ｃ１、２Ｃ２、２Ｃ３、２Ｃ４・・・・２Ｃｎと、バッテリーチャージタイマ３Ｃ１、３Ｃ２、３Ｃ３、３Ｃ４・・・・３Ｃｎを具備していて、冷凍コンテナの遠隔センサー装置から送信される通信データに従い、エンジン回転が直前のオイル交換からどれだけ継続しているか、及び、エンジンがどれだけ停止しているかの管理を冷凍コンテナ毎に行う。端末装置からの要求に応じて、直前のオイル交換からの冷凍機運転の継続時間、及び、エンジンの停止時間を、冷凍コンテナ毎に示す状態一覧データを作成して、要求元となる端末装置に表示させる。【選択図】図４
2018179326.tif 000002
【特許請求の範囲】
【請求項１】
複数の遠隔センサー装置と、サーバー装置と、端末装置とを含み、移動体通信ネットワークを通じて、複数冷凍コンテナの状態管理を行う冷凍コンテナ管理システムであって、
各冷凍コンテナは、エンジン、バッテリー、遠隔センサー装置を備え、前記遠隔センサー装置は、エンジン駆動が継続しているか否かの状態検出と、冷凍機運転が継続しているか否かの状態検出を行い、移動体通信ネットワークを介して、検出結果を示す状態データをサーバー装置に送信し、
前記複数の冷凍コンテナは、前記エンジンにより駆動され、
前記サーバー装置は、作業者にオイル交換を促すためのオイル交換タイマーと、バッテリーチャージを促すためのバッテリーチャージタイマーとを冷凍コンテナ毎に有しており、
何れかの冷凍コンテナが具備する遠隔センサー装置から送信される複数の状態データが、エンジン駆動の継続を示す場合、当該冷凍コンテナについてのオイル交換タイマーの計時値を増加させ、
別の何れかの冷凍コンテナが具備する遠隔センサー装置から送信される複数の状態データが、エンジン停止を示す場合、当該冷凍コンテナについてのバッテリーチャージタイマーの計時値を増加させ、
前記サーバー装置は、前記オイル交換タイマー、及び、バッテリーチャージタイマーの計時値に基づくアラートを前記端末装置に実行させ、前記アラートでは、前記複数の冷凍コンテナのうち、早期にオイル交換、又は、バッテリーチャージを実行すべきものがどれであるかを特定する
ことを特徴とする冷凍コンテナ管理システム。
【請求項２】
遠隔センサー装置により検出される状態には、冷凍コンテナの現在位置があり、
前記サーバー装置は、遠隔センサー装置から送信される状態データに含まれる現在位置に基づき、複数冷凍コンテナのそれぞれが、何処に存在するかを示す一覧表示を端末装置に実行させ、
前記アラートでは、前記一覧表示のうち、冷凍コンテナに対応する項目の表示態様を変化させることで、早期にオイル交換、又は、バッテリーチャージが必要な冷凍コンテナを特定する
ことを特徴とする請求項１の冷凍コンテナ管理システム。
【請求項３】
何れかの冷凍コンテナが具備する遠隔センサー装置から後続して送信される複数の状態データが、所定時間以上のエンジン駆動の継続を示す場合、当該冷凍コンテナに対応するバッテリーチャージタイマーの計時値をリセットする
ことを特徴とする請求項１記載の冷凍コンテナ管理システム。
【請求項４】
何れかの冷凍コンテナが具備するエンジンについて、オイル交換がなされた旨が、何れかの端末装置から発せられた場合、当該冷凍コンテナに対応するオイル交換タイマーの計時値をリセットする
ことを特徴とする請求項１記載の冷凍コンテナ管理システム。
【請求項５】
前記遠隔センサー装置によって送信される状態データは、温度センサーの検出値を含み、
前記サーバー装置は、
複数の冷凍コンテナのうち、特定の冷凍コンテナに取り付けられた遠隔センサー装置から周期的に送信されてきた複数の状態データから、温度センサーの検出値を取り出して、特定コンテナの温度履歴として保持しており、
前記特定冷凍コンテナについての温度遷移表示が要求された場合、特定コンテナについての温度履歴に基づき、現在時刻から一定の時間遡った範囲の冷凍コンテナの温度推移を示すグラフを作成して、端末装置に表示させる
ことを特徴とする請求項１記載の冷凍コンテナ管理システム。
【発明の詳細な説明】
【技術分野】
【０００１】
本発明は、列車又はトラック輸送により運搬される冷凍コンテナの遠隔監視及び遠隔制御を行う冷凍コンテナ管理システムに関し、特に、複数の冷凍コンテナの状態を一覧表示に供する場合の改良に関する。
【背景技術】
【０００２】
従来の冷凍コンテナは、冷凍機、冷凍機の駆動のためのエンジン、エンジンによる起電力を蓄積するバッテリー、発電機を具備していて、冷凍機からの冷風を、荷室に送り込むことで、荷室内の積荷の品質を保つ。
冷凍コンテナの積荷としては、冷凍品や氷菓、乳製品といった低温輸送物があげられる。これらの低温輸送物は、環境温度の変動に弱いので、運送事業者は、上記冷凍コンテナ管理システムを構築することで、冷凍コンテナの監視を２４時間体制で行い、メンテナンスに細心の注意を払っている。
【０００３】
冷凍コンテナのメンテナンス項目には、大きく分けて、冷凍機やエンジンの直接操作によるものと、遠隔操作によるものとがある。前者のメンテナンス項目としては、冷凍機エンジンの燃料補給、オイル交換やバッテリーチャージが知られている。後者のメンテナンス項目としては、エンジン起動／停止、庫室の温度設定や霜取の実行が知られている。前者の燃料補給は、列車が貨物駅に停車し、荷物の乗降時以外の限られた機会に実行せねばならない。またオイル交換は、冷凍コンテナの運行時ではなく定期点検時になされる。一方、バッテリーチャージは、通常のメンテナンス時において、チャージャによる直接操作によりなされる。尚、冷凍コンテナの運行途中に、緊急トラブルが発生した場合は、これらの項目のメンテナンスを、運行途中に実行する。
【０００４】
尚、冷凍コンテナの遠隔監視、遠隔制御を行う通信システムとしては、特許文献１、２に記載された遠隔監視制御システムが知られている。
【先行技術文献】
【特許文献】
【０００５】
【特許文献１】特開２００５−１７２３９５号公報
【特許文献２】特開２００３−７６７５１号公報
【発明の概要】
【発明が解決しようとする課題】
【０００６】
上記メンテナンス項目のうち、オイル交換やバッテリーチャージは、他のメンテナンス項目と比較して看過される可能性が高い。これは、オイル交換やバッテリーチャージの作業周期が比較的長期であることに起因する（例えば、オイル交換の作業周期は１０００Ｈである）。しかし、オイル交換を怠ったまま、低温輸送物の輸送を継続すると、低温輸送物や冷凍コンテナのエンジンに深刻な損傷を与える可能性がある。
【０００７】
具体的にいうと、低温輸送物の１つであるアイスクリームの輸送中に、ダイナモ等の発電系に異常が生じ、バッテリー切れが発生して、当該バッテリー切れが看過されたまま冷凍コンテナによる運搬を継続したとする。この場合、エンジンが電子制御不能となり、冷凍機が停止してしまうので、冷凍コンテナの庫内が常温になり、アイスクリームが溶け出してしまう。その結果、冷凍コンテナの他の積荷が水浸しになり、他の積荷の破損を招いてしまう。
【０００８】
また、オイル交換忘れが長期にわたり看過された場合、積荷である低温輸送物のみならず、エンジンの焼付け等による深刻な損失を招きかねない。
しかし、昼夜を問わず、多くの冷凍コンテナを監視して、バッテリー切れやオイル交換忘れにも細心の注意を払うことは、監視者の重荷となり、監視者の負担増に拍車をかけてしまうという問題がある。
【０００９】
本発明の目的は、少数の監視者が、多数の冷凍コンテナを監視する場合でも、オイル交換時期やバッテリーチャージ時期が近づいている冷凍コンテナの見落としを減少させることができる、冷凍コンテナ管理システムを提供することである。
【課題を解決するための手段】
【００１０】
上記課題を解決するため、本発明にかかる冷凍コンテナ管理システムは、  複数の遠隔センサー装置と、サーバー装置と、端末装置とを含み、移動体通信ネットワークを通じて、複数冷凍コンテナの状態管理を行うものであり、各冷凍コンテナは、エンジン、バッテリー、遠隔センサー装置を備え、前記遠隔センサー装置は、エンジン駆動が継続しているか否かの状態検出と、冷凍機運転が継続しているか否かの状態検出を行い、移動体通信ネットワークを介して、検出結果を示す状態データをサーバー装置に送信し、
前記サーバー装置は、作業者にオイル交換を促すためのオイル交換タイマーと、バッテリーチャージを促すためのバッテリーチャージタイマーとを冷凍コンテナ毎に有しており、
何れかの冷凍コンテナが具備する遠隔センサー装置から送信される複数の状態データが、エンジン駆動の継続を示す場合、当該冷凍コンテナについてのオイル交換タイマーの計時値を増加させ、
別の何れかの冷凍コンテナが具備する遠隔センサー装置から送信される複数の状態データが、エンジン停止を示す場合、当該冷凍コンテナについてのバッテリーチャージタイマーの計時値を増加させ、
前記サーバー装置は、前記オイル交換タイマー、及び、バッテリーチャージタイマーの計時値に基づくアラートを前記端末装置に実行させ、前記アラートでは、前記複数の冷凍コンテナのうち、早期にオイル交換、又は、バッテリーチャージを実行すべきものがどれであるかを特定することを特徴としている。
【００１１】
前記アラートは、冷凍コンテナの一覧表示に関連させることが望ましい。つまり遠隔センサー装置により検出される状態には、冷凍コンテナの現在位置があり、前記サーバー装置は、遠隔センサー装置から送信される状態データに含まれる現在位置に基づき、複数冷凍コンテナのそれぞれが、何処に存在するかを示す一覧表示を端末装置に実行させ、前記アラートでは、前記一覧表示のうち、冷凍コンテナに対応する項目の表示態様を変化させることで、早期にオイル交換、又は、バッテリーチャージが必要な冷凍コンテナを特定してもよい。
【００１２】
バッテリーチャージタイマーのリセットは以下のようにすることが望ましい。何れかの冷凍コンテナが具備する遠隔センサー装置から後続して送信される複数の状態データが、所定時間以上のエンジン駆動の継続を示す場合、当該冷凍コンテナに対応するバッテリーチャージタイマーの計時値をリセットしてもよい。
オイル交換タイマーのリセットは以下のように行わせることが望ましい。つまり、何れかの冷凍コンテナが具備するエンジンについて、オイル交換がなされた旨が、何れかの端末装置から発せられた場合、当該冷凍コンテナに対応するオイル交換タイマーの計時値をリセットしてもよい。
【００１３】
ここで、１の冷凍コンテナが具備する遠隔センサー装置からの状態データの送信は、周期的になされ、前記サーバー装置は、状態データの送信周期に基づき、オイル交換タイマーの計時値、又は、バッテリーチャージタイマーの計時値を増加させてもよい。
ここで、冷凍コンテナ管理システムについては追加的な機能を追加することができる。具体的にいうと、前記遠隔センサー装置によって送信される状態データは、温度センサーの検出値を含み、前記サーバー装置は、複数の冷凍コンテナのうち、特定の冷凍コンテナに取り付けられた遠隔センサー装置から周期的に送信されてきた複数の状態データから、温度センサーの検出値を取り出して、特定コンテナの温度履歴として保持しており、前記特定冷凍コンテナについての温度遷移表示が要求された場合、特定コンテナについての温度履歴に基づき、現在時刻から一定の時間遡った範囲の冷凍コンテナの温度推移を示すグラフを作成して、端末装置に表示させてもよい。
【発明の効果】
【００１４】
本発明のサーバー装置は、オイル交換タイマー、バッテリーチャージタイマーに基づくアラートを、端末装置に実行させるので、監視者はオイル交換、又は、バッテリーチャージを早期に行うべき冷凍コンテナがどれであるかを確実に掌握することができる。これにより、緊急時には、冷凍機整備のための作業者を、確実に、冷凍コンテナ列車の次の停車駅に急行させることができる。
【００１５】
たとえ、少数の監視者が、多数の冷凍コンテナの状態監視を行う場合でも、オイル交換忘れや、バッテリーチャージ忘れに起因する低温輸送物の損傷を、より少なくすることができる。
【図面の簡単な説明】
【００１６】
【図１】冷凍コンテナ管理システムのシステム構成を示す図である。
【図２】冷凍コンテナの機能構成を示すブロック図である。
【図３】図３（ａ）は、コンテナ取得情報の一例を示す。図３（ｂ）は、冷凍コンテナからサーバへの発呼電文の送信ｓｅ１、ｓｅ２、ｓｅ３、ｓｅ４、ｓｅ０と、サーバからのレスポンスの受信ｒｅ１、ｒｅ２、ｒｅ３、ｒｅ４とで構成されるシーケンスを示す。図３（ｃ）は、複数冷凍コンテナのそれぞれを相手側にした、ポーリングによるシーケンスを示す。図３（ｄ）は、複数冷凍コンテナのうち、冷凍機を制御すべき特定のものを相手側にしたシーケンスを示す。
【図４】通信サーバー装置３００の構成を、機能的に示す図である。
【図５】コンテナ取得情報の一例を示す図である。
【図６】通信サーバー装置３００による処理のメインルーチンを示すフローチャートである。
【図７】図６における個々のコンテナ行に具体的なデータ内容を記述し、展開して示す。
【図８】オイル交換タイマー２Cｘの更新、バッテリーチャージタイマー３Cｘの更新の詳細な処理手順を示すフローチャートである。
【図９】図９（ａ）は、オイル交換タイマーの計時値増加、ＯＩＬ欄の表示態様の変更過程を示し、図９（ｂ）は、バッテリーチャージタイマーの計時値増加、ＢＡＴ欄の表示態様の変更過程を示す。
【図１０】冷凍機ＣＰＵ１５の制御手順を示すフローチャートである。
【図１１】端末装置４０１の画面操作に応じた処理手順を示すフローチャートである。
【図１２】ユーザ操作に応じた画面切り替え例を示す。
【図１３】制御画面の一例を示す。
【図１４】温度推移グラフの作成手順を示すフローチャートである。
【図１５】温度遷移グラフの一例を示す
【図１６】図１６（ａ）は、列車一覧表ｔａ１に対応付けて、プルダウンリストｐｕ１１、１２、１３を配置した運行登録画面の一例を示す。図１６（ｂ）は、ＪＲコンテナ発送表の一例を示す。
【図１７】図１７（ａ）はＪＲコンテナ稼働表を示し、図１７（ｂ）は、検温表の一例を示す。
【図１８】冷凍コンテナ１０１を斜め上から俯瞰して示す斜視図である。
【発明を実施するための形態】
【００１７】
（第１実施形態）
以下、冷凍コンテナ管理システムの実施形態について、図面を参照しながら説明する。
［１］冷凍コンテナ管理システムの全体構成
図１は、冷凍コンテナ管理システムのシステム構成を示す図である。本図に示すように、冷凍コンテナ管理システムは、移動体通信システム１００１と、データセンター１００２と、社内交換網１００３と、運送拠点ネットワーク１００４、１００５、１００６とで構成され、冷凍コンテナ１０１、１０２、１０３、１０４、１０５、１０６の状態管理を行う。冷凍コンテナの運送には、列車によるものと、自動車によるものとがある。列車による運送では、冷凍コンテナ１０１、１０２、１０３・・・１０６が、行先が異なる複数の貨物列車（例えば図中の列車２００１、２００２、２００３）の何れかに積載される。かかる列車への積載時には、１つの貨車に２つの冷凍コンテナ（冷凍コンテナ１０１、１０２、１０３、１０４参照）が積載される。また自動車による運送では、１つのトラック５００に１つの冷凍コンテナ１０７が積載される。
【００１８】
移動体通信網１００１は、IMT-2000 (W-CDMA) を基盤とした Freedom Of Mobile multimedia Access（ＦＯＭＡ）システムであり、移動体通信交換機２００と、鉄道路線沿いに存在する基地局２０１、２０２、２０３、２０４、２０５、２０６と、専用回線（ＤＡ１２８回線）による接続のための通信装置２１０とを含み、コンテナ列車２００１、２００２、２００３に積載された冷凍コンテナ１０１、１０２、１０３、１０４、１０５、１０６を対象とした移動体通信を実行する。
【００１９】
データセンター１００２は、通信サーバー装置３００と、専用回線（ＤＡ１２８回線）による接続のための通信装置２１１、２１２とを含み、冷凍コンテナを運行管理するためのデータベースを構築し、かかるデータベースに対する運行情報の新規登録や変更、削除を実行する。また、端末装置４０１、４０２、４０３からのアクセス要求に対して、複数冷凍コンテナの状態管理のための状態一覧データを提供する。
【００２０】
拠点構内ネットワーク１００４、１００５、１００６は、日本全国の監視拠点（例えば、南九州、北九州、関西、名古屋、湘南、京浜、関越、東北等に存在する）に設けられていて、端末装置４０1、４０２、４０３と、専用回線による接続のための通信装置２１３、２１４、２１５とを含む。
端末装置４０１、４０２、４０３は、冷凍コンテナ１０１、１０２、１０３、１０４・・・・の状態監視を実行するのと共に、冷凍コンテナ１０１におけるエンジン、冷凍機の遠隔制御を実行する。具体的にいうと、端末装置は、制御モード、監視モードという２つのモードを有していて、対話画面を通じて、かかるモードを切り替える操作を受け付ける。制御モードでは、冷凍機又はエンジンの始動、停止を切り替える。尚、端末装置には、自動車５００の運転手によって所持され、監視モードのみの実行が可能な端末装置４１１が存在する。
【００２１】
［２］冷凍コンテナの構成
以下、図１を参照しながら、システムによる状態管理の管理対象となる冷凍コンテナについて説明する。尚、図１に示した複数の冷凍コンテナは、何れも共通の構成を有しており、その共通構成の1つとして、冷凍コンテナ１０１を対象として説明を進めるものとする。
【００２２】
図２は、冷凍コンテナ１０１の機能構成を示すブロック図である。図２のブロック図に示すように、冷凍コンテナ１０１は、保冷機能を有した箱体１００と、冷凍機１０と、冷凍機を駆動する冷凍機駆動部２０と、冷凍機の運転状況を検出するための遠隔センサー装置３０とで構成される。
冷凍機１０は、エバポレータ１１、１２、コンプレッサ１３、コンデンサ１４、配管１３ｐ、１４ｐ、専用の中央処理ユニット（冷凍機ＣＰＵ）１５から構成される。エバポレータ１１、１２は、箱体１００のそれぞれの庫室（前室、後室）の天井部１１１ｆ、１１１ｒに設置されており、コンプレッサ１３、コンデンサ１４は、前室１０１ｆの前壁部に設けられたキャビネット部１０１ｃに収容されている。エバポレータ１１、１２と、コンプレッサ１３、コンデンサ１４とは、配管１３ｐ、１４ｐによって接続されている。
【００２３】
冷凍機ＣＰＵ１５は、端末装置４０１、４０２、４０３からの遠隔操作による指示に従い、冷凍機１０の運転を開始するか停止するかの制御を行う。本明細書における「冷凍機の運転」は、コンプレッサ１３のファンを回転させることで、気体冷媒をコンデンサ１４に送り込み、コンデンサ１４による液化、エバポレータ１１、１２による再気化に供して、配管１３ｐ、１４ｐの内部に冷媒の循環ｆ１、ｆ２を生じさせることをいう。冷媒を、エバポレータ１１、１２による再気化に供することで、前室内、後室内がそれぞれ冷却される。
【００２４】
冷凍機駆動部２０は、燃料タンク２１と、燃料タンク２１から燃料供給を受けるディーゼルエンジン（以下、エンジンと略す）２２と、エンジン２２の回転と連動して動作するダイナモである発電機２３と、発電機２３のダイナモによる起電力を蓄電するバッテリー２４と、エンジン２２にトラブルが発生した際、エンジン２２を低速運転に供するか、エンジン２２を停止するかの設定を示すバックアップスィッチ２６とで構成され、冷凍機１０と同様、前室１０１ｆの前壁部に設けられたキャビネット部１０１ｃに収容されている。尚、発電機２３から供給される電力は、エンジン２２の動作に優先して利用される。そうしてエンジン２２の動作に利用した電力の余剰電力が、バッテリー２４に蓄電される。
【００２５】
遠隔センサー装置３０は、ＧＰＳ情報処理部３１、動態情報処理部３２、周波数センサー３３、通電監視部３４、ドアセンサー３５、接点情報処理部３６、温度センサー情報処理部３７、燃料残量センサー３８、電文送受信部３９で構成される。
ＧＰＳ情報処理部３１は、所定の監視周期毎に、衛星軌道上を周回するＧＰＳ衛星から送信される信号を受信し、かかる受信信号に従い、冷凍コンテナの現在位置の緯度、経度の測位を行う。かかる測位で得られた緯度、経度に、測位時刻（ＧＰＳ測位時刻）を示すタイムスタンプを付した上で出力する。こうして、タイムスタンプを付して出力される緯度、経度の組を「ＧＰＳ座標」という。
【００２６】
動態情報処理部３２は、所定の監視周期毎に、鉄道路線沿いに設置された基地局２０１、２０２、２０３・・・２０６から送信される測位信号を受信することで、ＧＰＳ信号の受信による現在位置の測位がどのような状態でなされているか（平野部の走行中になされたか、山間部の走行中になされたか、トンネル内の走行中になされたか)を検出する。また動態情報処理部３２は、所定の監視周期毎に、ＧＰＳ衛星からの受信信号に基づき、冷凍コンテナが進行する進行方向の方位の測定を行う。更に、所定の監視周期毎に、冷凍コンテナの進行速度を測定する速度センサーを備え、こうして検出された方位、進行速度、測位状態を、GPS情報に対応付けることで、任意のＧＰＳ測位時刻に対応する動態情報（冷凍コンテナのGPS座標、方位、速度、測位状態からなる）を生成する。
【００２７】
周波数センサー３３は、冷凍機駆動部２０のエンジン２２に設けられたフライホイル回転センサの出力端子に、外部モニタリングのための分岐線を取り付けて専用のインターフェイス基板に導くことで、フライホイル回転センサから出力される信号の信号周波数を測定する。測定された信号周波数が例えば２０Ｈｚ以上（エンジン回転にして約10rpm以上）である場合、「エンジン回転ＯＮ」であると判断する。当該信号周波数が２０Ｈｚ未満である場合、「エンジン回転ＯＦＦ」であると判断する。
【００２８】
通電監視部３４は、冷凍機側の制御基板の冷凍機稼働信号の振幅レベルを判定することで、冷凍機ＣＰＵを含む制御系に通電がなされているかどうかの監視を行う。当該冷凍機稼働信号の振幅レベルが例えば１２Ｖであれば、冷凍機ＯＮであると検出する。一方、当該冷凍機稼働信号の振幅が０Ｖであれば、冷凍機ＯＦＦであると検出する。
ドアセンサ３５は、箱体１００の後方壁におけるドア枠１００ｗに設けられ、所定の監視周期毎に、ドア枠１００ｗと、ドアとの接触、非接触を検出することで、ドアの開閉を検知する。
【００２９】
接点情報処理部３６は、所定の監視周期が到来する度に得られる周波数センサー３３による検出結果（エンジン２２が回転しているか否か）、電圧センサー３４による検出結果（冷凍機が運転中かどうか）、ドアセンサー３５による検出結果（ドアが開いているか否か）をひとつにまとめ、ＧＰＳ測位時刻に対応する冷凍機接点情報（エンジン回転のＯＮ／ＯＦＦ、冷凍機運転ＯＮ／ＯＦＦ，ドア開閉を示す）として出力する。
【００３０】
温度センサー情報処理部３７は、前室１０１ｆに設置された温度センサー３７ａの検出値、後室１０１ｒに設置された温度センサー３７ｂの検出値、箱体の屋根部１００eに設置された温度センサー３７ｃの検出値を、所定の監視周期毎に取得して、これら、前室１０１ｆに設置された温度センサー３７ａの検出値、後室１０１ｒに設置された温度センサー３７ｂの検出値、冷凍コンテナの屋根部１００ｅに設置された温度センサー３７ｃの検出値をひとつにまとめることで、ＧＰＳ測位時刻に対応する温度センサ情報として出力する。尚、温度センサーには、エバポレータ１１、１２の吹出し口、吸入口に設置されたもの（温度センサー３７ｆ、ｇ、ｈ、ｉ）が存在する。これらの温度センサーｆ、ｇ、ｈ、ｉは冷凍機ＣＰＵ１５による制御内容を、通信サーバー装置３００にフィードバックする目的で使用される。
【００３１】
燃料残量センサー３８は、燃料タンク２１に設置され、軽油燃料の残量を２５６段階の数値により表して出力する。
電文送受信部３９は、所定の監視周期毎に、動態情報処理部３２が出力する動態情報、温度センサー情報処理部３７が出力する温度センサー情報、接点情報処理が出力する接点情報を組み合わせることで、図３（ａ）に示す冷凍コンテナのコンテナ取得情報を作成する。図３（ａ）に示すコンテナ取得情報は、タイムスタンプ情報、動態情報、冷凍機接点情報、温度センサ情報、燃料残量、冷凍機ＣＰＵ情報（冷凍機ＣＰＵ１５が、冷凍機の制御に用いる情報であり、その詳細については後述する）を含む。こうして作成された冷凍機情報を含む電文を、通信サーバー装置３００に送信する。
【００３２】
［３］通信シーケンス
図３（ｂ）〜（ｄ）を参照しながら、冷凍コンテナのコントローラと、サーバとの間でなされる通信シーケンスについて説明する。通信サーバー装置３００と、冷凍コンテナ１０１との間でなされる通信シーケンスには、冷凍コンテナ１０１が発信側になるものと（図３（ｂ））、通信サーバー装置３００が発信側になるもの（図３（ｃ））と、端末装置４０１が発信側になるもの（図３（ｄ））とがある。
【００３３】
図３（ｂ）のシーケンスは、冷凍コンテナ１０１から通信サーバー装置３００への発信電文の送信ｓｅ１、ｓｅ２、ｓｅ３、ｓｅ４、ｓｅ０と、通信サーバー装置３００からのレスポンスの受信ｒｅ１、ｒｅ２、ｒｅ３、ｒｅ０とで構成される。尚、ここで送信される発信電文には、所定の監視周期が到来したことで送信されるもの（ｓｅ１、ｓｅ２、ｓｅ３）と、冷凍コンテナ１０１の状態が変化した際、送信されるもの（ｓｅ０）とがある、冷凍コンテナ１０１の状態報知のため、冷凍コンテナから送信される発信電文を、「状態データ」という。
【００３４】
図３（ｃ）のシーケンスは、複数冷凍コンテナのそれぞれを相手側にしたもので、通信サーバー装置３００から冷凍コンテナ１０１、１０２、１０３へのポーリング電文の一斉送信ｓｅ１１、ｓｅ１２、ｓｅ１３と、冷凍コンテナ１０１からのレスポンスの受信ｒｅ１１、ｒｅ１２、ｒｅ１３とで構成される。
図３（ｄ）のシーケンスは、複数冷凍コンテナ１０１、１０２、１０３・・・・のうち、冷凍機１０を制御すべき特定のものを相手側にしたもので、端末装置から通信サーバー装置３００への冷凍機制御電文の送信ｓｅ２１と、通信サーバー装置３００から冷凍コンテナ１０１への冷凍機制御電文の送信ｓｅ２２と、冷凍コンテナ１０１が発したレスポンス（応答電文）の通信サーバー装置３００による受信ｒｅ２２と、通信サーバー装置３００が発したレスポンス（応答電文）の端末装置４０１による受信ｒｅ２１とで構成される。尚、電文としては、上述したもの以外に、通信制御ユニットの動作パラメータの取得・更新のための電文、通信制御ユニットの起動報告のための電文が存在する。
【００３５】
図３（ｂ）に示すように、一定の監視周期置きに個々の冷凍コンテナから発せられる任意発信電文は、冷凍機運転情報を含むから、各電文内の冷凍機運転情報を参照することで、直前のオイル交換からのエンジン駆動の継続期間、直前のエンジン回転の停止からのバッテリーによる駆動期間の把握が可能になる。
［４］サーバー装置３００の構成
以下、通信サーバー装置３００の構成について説明する。図４は、通信サーバー装置３００の構成を、機能的に示す図である。本図に示すように、通信サーバー装置３００は、電文処理部１と、オイル交換タイマー２Ｃ１、Ｃ２、Ｃ３、Ｃ４・・・・Ｃｎと、バッテリーチャージタイマ３Ｃ１、Ｃ２、Ｃ３、Ｃ４・・・・Ｃｎと、燃料残量テーブル４と、温度履歴テーブル５と、運行登録情報データベース６と、画面構成部７とで構成される。
【００３６】
電文処理部１は、冷凍コンテナのコントローラに対して電文を送信する処理、冷凍コンテナのコントローラが発した応答電文を受信する処理を実行する
オイル交換タイマー２Ｃ１、Ｃ２、Ｃ３、Ｃ４・・・・Ｃｎは、冷凍コンテナ毎に、オイル交換タイマーの計時値の保持及び更新を行う。何れかの冷凍コンテナ（冷凍コンテナｘという）から受信した制御電文に示される状況が、オイル交換の完了を示す場合、当該冷凍コンテナｘに対応するオイル交換タイマー（オイル交換タイマー２Ｃｘという）の計時値をゼロにリセットする。一方、同じ冷凍コンテナｘからその後に受信した応答電文に示される最新の状況が、「エンジン回転ＯＮ」であれば、当該冷凍コンテナｘに対応するオイル交換タイマー２Ｃｘの計時値を増加させる。
【００３７】
バッテリーチャージタイマー３Ｃ１、Ｃ２、Ｃ３、Ｃ４・・・・Ｃｎは、冷凍コンテナ毎に、バッテリーチャージタイマーの計時値の保持及び更新を行う。バッテリーチャージタイマー３Ｃ１、Ｃ２、Ｃ３、Ｃ４・・・・Ｃｎの計数値は、エンジン２２が回転していないため、バッテリーが充電されていない期間（バッテリー非充電期間）が、1つの冷凍コンテナにおいてどれだけ継続しているかを示す。つまり、エンジンを使用しない常温運用が長く継続するとバッテリー上がりが発生する恐れが生じる。そのようなバッテリー上がりが発生すると、冷凍機ＣＰＵが全く動作しなくなってしまう。そのような事態を避けるため、バッテリー非充電期間の計数を、バッテリーチャージタイマー３Ｃ１、Ｃ２、Ｃ３、Ｃ４・・・・Ｃｎに行わせている。何れかの冷凍コンテナ（冷凍コンテナｘ）が発した任意発信電文に示される最新の状況が、冷凍機運転中（冷凍機ＯＮ）であり、尚且つ、エンジン非回転（エンジン回転ＯＦＦ）であれば、当該冷凍コンテナｘに対応するバッテリーチャージタイマー３Ｃｘの計時値を増加させる。一方、同じ冷凍コンテナｘから受信した応答電文に示される最新の状況が、冷凍機運転中（冷凍機ＯＮ）、尚且つ、エンジン回転中（エンジン回転ＯＮ）であり、エンジン回転期間が１時間以上継続している場合、当該冷凍コンテナｘに対応するバッテリーチャージタイマー３Ｃｘの計時値をゼロにリセットする。
【００３８】
燃料残量テーブル４は、冷凍コンテナ１０１、１０２、１０３、１０４のそれぞれの燃料残量を保持する。本テーブルに保持される燃料残量は、一定監視周期置きに、各冷凍コンテナから送信される発信電文に記載されていた燃料残量であり、新たな燃料残量を含む発信電文が同じ冷凍コンテナから送信される度に、燃料残量テーブル４に記載される燃料残量は上書きされる。
【００３９】
温度履歴テーブル５は、各冷凍コンテナの温度履歴を庫室毎に保持する。本テーブルに保持される温度履歴は、一定監視周期置きに、各冷凍コンテナから送信される発信電文に記載されていた検出温度からなり、新たな検出温度を含む発信電文が同じ冷凍コンテナから送信される度に、温度履歴テーブル５に記載される検出温度のうち、もっとも古いものが上書きされる。これにより、温度履歴テーブル５には、これまでの検出温度のうち、最新の所定数のものが庫室毎の温度履歴として保存されることになる。
【００４０】
運行登録情報データベース６は、列車又は自動車により運搬されるものとして登録された複数の冷凍コンテナの運行情報（運行登録情報１、２、３、４、５・・・・ｎ）が格納される。ここで格納される運行登録情報１、２、３、４、５・・・・ｎは、冷凍コンテナの識別番号、冷凍コンテナの形式番号、行程（発地、荷降地）、積荷（製品名）、荷主、荷積予定を示す。
【００４１】
画面構成部７は、通信サーバー装置３００の全体制御を行い、運行登録がなされた複数の冷凍コンテナの状態一覧データを構成する。端末装置から閲覧要求があった場合、画面構成部７は、その要求元の端末装置に送信する。状態一覧データの構成にあたって、オイル交換タイマー２Ｃ1、Ｃ2、Ｃ3、Ｃ4・・・Ｃｎの計時値、バッテリーチャージタイマー３Ｃ1、Ｃ2、Ｃ3、Ｃ4・・・Ｃｎの計時値、燃料残量テーブル４に示される燃料残量に応じた表示を行う。また、状態一覧データによるユーザ操作に応じて、対話画面の切り替えを行う。状態一覧データは、可変長データであり、図５に示すように「コンテナ行」と呼ばれる固定長のレコードを、複数配してなる（図中のコンテナ行ｒ1、ｒ２、ｒ３、ｒ４、ｒ５、ｒ６、ｒ７・…参照）。引出線ａｗ１は、コンテナ行の内部構成をクローズアップして示す。コンテナ行ｒ１、ｒ２、ｒ３２、ｒ４、ｒ５・・・は、複数冷凍コンテナのそれぞれに対応していて、複数の設定欄を有する。設定欄にはＮｏ欄Ｃ１、現在地欄Ｃ２、制御欄Ｃ３、温度欄Ｃ４、状態欄Ｃ５、ドア欄Ｃ６、前室欄Ｃ７、後室欄Ｃ８、指示欄Ｃ９、セット欄Ｃ１０、運転欄Ｃ１１、BAT欄Ｃ１２、OIL欄Ｃ１３、燃料欄Ｃ１４、青函欄Ｃ１５、測位時刻欄Ｃ１６といった種別がある。
【００４２】
尚、図６では、簡略化のため、指示欄、セット欄、運転欄を１つのみとしている。仮にエバポーレータを２つ動作させている場合、かかる指示欄、セット欄、運転欄は２組表示される。
［５］サーバー装置３００及び冷凍コンテナ１０１の動作説明
［５−１］サーバー装置３００の動作
図４に内部構成を示した通信サーバー装置３００は、一般的なハードウェア構成のコンピューター（ＣＰＵ，ＲＯＭ，ＲＡＭ，ＨＤＤ，ＳＳＤを備える）に、図６、図８のフローチャートに示す処理手順を実行させることで実現される。
【００４３】
以下、図６、図８のフローチャートを参照しながら、サーバー装置３００、冷凍コンテナ１０１、端末装４０１の動作について説明する。図６は、サーバー装置３００による処理のメインルーチンを示すフローチャートである。本図において、ステップＳ２の変数ａは、新規な運送業務の登録があった場合に、その新規運送業務に割り当てられた冷凍コンテナ及びコンテナ行を一意に指示する変数である。また、ステップＳ１における（ｘ、ｔ）は、任意のＧＰＳ測位時刻ｔにおいて、任意の冷凍コンテナｘから送信された冷凍機任意発呼電文を指示する変数である。
【００４４】
本フローチャートでは、何れかの冷凍コンテナｘから応答電文（ｘ、ｔ）を受信したか（ステップＳ１）、新規の運送業務として、冷凍コンテナによるａ番目の運送が登録されたか（ステップＳ２）、端末装置４０１、４０２、４０３からのアクセスがあったかどうかの判定を行っている（ステップＳ３）。運行登録がなされた際（ステップＳ２でＹｅｓ）、上記の設定欄のうち、No欄のみに、冷凍コンテナａに割り当てられた識別番号を記述し、残りの設定欄を空欄としたコンテナ行ａを追加する（ステップＳ４）。冷凍コンテナａのＮｏ欄には、５６４１、５６４２、５６４３といった４桁の数値が設定されることになる。
【００４５】
次に、コンテナ行ａの設定欄に、初期的な内容を記述してゆく。コンテナ行ａの制御欄、温度欄については初期的な内容（遠隔制御を示す「遠隔」の文字列、温度グラフの表示を促す「グラフ」の文字列）を記述する（ステップＳ５）。コンテナ行ａの指示欄については、運行登録時に設定された指示温度を記述する（ステップＳ６）。
冷凍コンテナａに青函トンネル通過の予定があるかどうかを判定して（ステップＳ７）、通過の予定がある場合、追加したコンテナ行の青函欄を「予定」と記述する（ステップＳ８）。応答電文（ｘ、ｔ）を受信すると（ステップＳ１でＹｅｓ）、ステップＳ１１〜Ｓ２０に示される設定項目の記述処理を実行する。
【００４６】
始めに、応答電文（ｘ、ｔ）に示されるＧＰＳ測位時刻ｔを、冷凍コンテナｘに対応するコンテナ行ｘの測位時刻欄Ｃ１６に記述する（ステップＳ１１）。
次に、応答電文（ｘ、ｔ）のＧＰＳ座標が属する都道府県を選んで、その都道府県名を、コンテナ行ｘに対応する現在地欄Ｃ２に記述する（ステップＳ１２）。これにより、コンテナ行ｘの現在地欄Ｃ２は、都道府県名（福岡県、神奈川県、栃木県、宮城県等）により、冷凍コンテナｘが帰属する現在地を示す。
【００４７】
また、画面構成部７は、対応する冷凍コンテナｘから受信した最新の応答電文（ｘ、ｔ）における冷凍機接点情報のドア開閉に関する内容に従い、コンテナ行ｘのドア欄Ｃ６を閉、開の何れかに設定する（ステップＳ１３）。
冷凍コンテナｘから受信した最新の応答電文（ｘ、ｔ）における温度センサーの検出値（前室１０１ｆ、後室１０１ｒに設置された温度センサー３７ａ、ｂ、ｃ、ｄが検出した検出温度）を示す摂氏温度を、コンテナ行ｘの前室欄Ｃ７、後室欄Ｃ８に記述する（ステップＳ１４）。
【００４８】
画面構成部７は、対応する冷凍コンテナｘから受信した最新の応答電文（ｘ、ｔ）における冷凍機接点情報の冷凍機運転に関する内容（冷凍機が加温状態であるか、冷却状態であるか、霜取状態であるか）を、コンテナ行ｘの運転欄に記述する（ステップＳ１５）。
応答電文（ｘ、ｔ）に応じて、オイル交換タイマー２Ｃ１、Ｃ２、Ｃ３、Ｃ４・・・Ｃｎのうち、冷凍コンテナｘに対応するもの（オイル交換タイマー２Cx）、及び、バッテリーチャージタイマー３Ｃ１、Ｃ２、Ｃ３、Ｃ４・・・Ｃｎのうち、冷凍コンテナｘに対応するもの（バッテリーチャージタイマー３Cx）を更新する（ステップＳ１６）。
【００４９】
オイル交換タイマー２Ｃ1、Ｃ2、Ｃ3、Ｃ4・・・Ｃｎのうち、冷凍コンテナｘに対応するもの（オイル交換タイマー２Cx）の計時値をＯＩＬ欄Ｃ１３に記述し、バッテリーチャージタイマー３Ｃ１、Ｃ２、Ｃ３、Ｃ４・・・Ｃｎのうち、冷凍コンテナｘに対応するもの（バッテリーチャージタイマー３Cx）の計時値を、ＢＡＴ欄Ｃ１２に記述する（ステップＳ１７）。
【００５０】
また画面構成部７は、対応する冷凍コンテナｘから受信した最新の応答電文（ｘ、ｔ）における燃料残量に従い、燃料欄Ｃ１４に、リットル単位の残量を記述する（ステップＳ１８）。  表示にあたっては、２５６段階で表される燃料タンク２１における軽油燃料の残量を１０段階に変換し、燃料残量とする。燃料残量については、残量が５０％以上であるか、３０％以上の５０％未満であるか、３０％未満であるかに応じて、燃料欄Ｃ１４の表示態様を変化させる。
【００５１】
冷凍コンテナｘに青函トンネル通過の予定がある場合、応答電文（ｘ、ｔ）のＧＰＳ測値が青森−函館間のトンネル周辺地域（以下、青函停止エリアという）への進入を示しているかどうかを判定する（ステップＳ１９）。青函停止エリアへの進入を示すと判定された場合、青函欄Ｃ１５を、「予定」から「通過」に更新する（ステップＳ２０）。以降、列車が青函トンネルを通過して、青函停止エリアからの離脱を示す応答電文を受信した場合、青函欄Ｃ１５を空白にする。
【００５２】
運行登録がなされた複数の冷凍コンテナから受信した応答電文について、上記の処理を行えば、図７に示すような、識別番号５６４１、５６４２、５６４３、５６４４、５６４５・・・・・が付与された冷凍コンテナの最新の状態が一覧表示に供される。図７は、図５における個々のコンテナ行に具体的なデータ内容を記述して展開した図である。
この図７の状態一覧データを参照すれば、コンテナ行ｒ６に対応する冷凍コンテナ（ＮＯ．５６４６の冷凍コンテナ）は、バッテリーによる運転継続時間が長く（２４５Ｈ）、また燃料残量も少ないため（３Ｈ）、早急な燃料補給と、バッテリーチャージとが必要であると理解できる。また、コンテナ行ｒ１２に対応する冷凍コンテナ（ＮＯ．５６５２の冷凍コンテナ）は、前回のオイル交換から長い期間が経過しており（９５２Ｈ）、次の列車の停止の機会に、オイル交換を実行する必要があると理解することができる。こうして、燃料補給やバッテリーチャージ、オイル交換を迅速に指示することで、低温輸送物やエンジンの保護が可能になる。
【００５３】
図８は、オイル交換タイマー２Cx、バッテリーチャージタイマー３Cxの更新の詳細な処理手順を示すフローチャートである。本フローチャートに特有のカウンタとして、エンジン稼働時間カウンタｘを設ける。これは、冷凍コンテナｘのエンジン回転の継続時間をカウントするためのカウンタである。
応答電文（ｘ，ｔ）を受信した場合、冷凍コンテナの冷凍機は運転ＯＮの状態になっているかどうかを判定する（ステップＳ３２）。このような判断を行うのは、冷凍機が運転中（運転ＯＮ）の場合のみ、エンジン２２の作動／停止といったオペレーションが可能になるからである。逆に運転ＯＦＦであれば、そのようなオペレーションは行えない。よって、運転ＯＦＦであれば、本フローチャートの処理を終了する。
【００５４】
運転ＯＮであれば、冷凍コンテナｘの前回の状態取得からの経過時間Pxを算出して（ステップＳ３３）、ステップＳ３４の判定を実行する。ステップＳ３４は、応答電文（ｘ，ｔ）が、エンジン回転検知を示すかどうかの判定である。
エンジン回転がＯＦＦである場合（ステップＳ３４がNo）、エンジン回転を伴わない冷凍機駆動が継続していると考えられ、バッテリーチャージタイマー３Cｘの計時値に、経過時間Ｐｘを加算する（ステップＳ３５）。
【００５５】
エンジン回転がＯＮである場合（ステップＳ３４でＹｅｓ）、エンジン稼働時間カウンターｘに、経過時間Ｐｘを加算する（ステップＳ３６）。その後、ステップＳ３７において、エンジン稼働時間カウンタに示される継続時間が１時間以上であるかどうかを判定する。エンジン稼働時間カウンタｘに示される時間が１時間以上であれば（ステップＳ３７でＹｅｓ）、バッテリーチャージタイマー３Cx、及び、エンジン稼働時間カウンタｘをリセットして（ステップＳ３８、Ｓ３９）、冷凍コンテナｘのオイル交換がなされた旨を示す制御電文が、端末装置４０１、４０２、４０３の何れかから送信されたかどうかを判定する（ステップＳ４０）。オイル交換を示す場合、冷凍コンテナｘについてのオイル交換タイマー２Cxをリセットする（ステップＳ４１）。オイル交換を示していない場合、オイル交換タイマー２Cxに、経過時間Ｐｘを加算することで、オイル交換タイマー２Cxの計時値を増加させる（ステップＳ４２）。
【００５６】
かかる計時値の増加後、オイル交換タイマー２Cx、バッテリーチャージタイマー３Ｃｘの計数値が、注意喚起を要する数値範囲に属するか、警告を要する数値範囲に属するかを判定する（ステップＳ４３）。もし、オイル交換タイマー２Cx、バッテリーチャージタイマ３Ｃｘの計数値が、これらの数値範囲に属する場合、コンテナ行ｘのＯＩＬ欄、バッテリー欄を、注意喚起を促す表示態様、又は、警告を促す表示態様に設定する（ステップＳ４４）。ここでの表示態様の変更には、ＯＩＬ欄、バッテリー欄の表示色の変更、欄中数値の強調表示、欄枠の線幅拡大、欄表示の点滅化といったものがある。尚、監視者の注意を惹きつけるのであれば、表示態様の変更以外の態様で監視者に通知してもよい。具体的にいうと、サイレン、ブザーの鳴動や識別番号の読み上げにより、監視者に通知してもよい。
【００５７】
オイル交換タイマー２Ｃｘの計時値増加、及び、ＯＩＬ欄、バッテリー欄の表示態様変更は、図９（ａ）のようになされる。２０１７年１０月１日の午前９時８分に、オイル交換がなされ、かつ、エンジン回転「ＯＮ」を示す応答電文が冷凍コンテナｘから送信されたものとする。その後、１０分間隔で、エンジン回転「ＯＮ」を示す応答電文が冷凍コンテナｘから送信されたものとする。この場合、応答電文の送信タイミングからの経過時間を示すよう、オイル交換タイマー２Ｃｘの計時値を増加させてゆく（図８のステップＳ４２）。このオイル交換タイマー２Ｃｘの計時値が、複数の時間範囲の何れに属するかに応じて、状態一覧データにおけるＯＩＬ欄の表示態様を変化させる。表示態様の変化は以下のようになされる。オイル交換タイマー２Ｃｘの計時値が８９９時間以下であれば平常状態を表す態様ｅｍ１、９００時間以上９９９時間以下であれば注意を喚起する態様ｅｍ２、１０００時間以上であれば警戒を促す態様ｅｍ３で表示する。
【００５８】
バッテリーチャージタイマー３Ｃｘの計時は図９（ｂ）のようになされる。２０１７年１０月２日の午前９時８分に、冷凍機の運転継続を示し、かつ、エンジン回転「ＯＮ」を示す応答電文が冷凍コンテナから送信されたものとする。その後、１０分間隔で、冷凍機の運転継続を示し、かつ、エンジン回転「ＯＦＦ」を示す応答電文が冷凍コンテナから送信されたものとする。この場合、応答電文の送信タイミングからの経過時間を示すよう、バッテリーチャージタイマーの計数値を増加させる（図８のステップＳ３５）。また、バッテリーチャージタイマーの計数値が、複数の時間範囲の何れに属するかに応じて、状態一覧データにおけるオイルの表示態様を変化させる。表示態様の変化は以下のようになされる。
【００５９】
バッテリーチャージタイマー３Ｃｘに示される、バッテリー非充電期間が１２０時間以下であれば平常状態を表す態様ｅｍ４、１２１時間以上２４０時間以下であれば注意を喚起する態様ｅｍ５、２４１時間以上であれば警戒を促す態様ｅｍ６で表示する。尚、上記のＯＩＬ欄、ＢＡＴ欄の表示態様の変更には、平常状態であれば緑色、注意を喚起する場合は黄色、警告を促す場合は赤色に変更するといったものがある。このように、ＯＩＬ欄、ＢＡＴ欄の表示態様が変化したコンテナ行が、監視者の目にとまれば、監視者は車両整備部門の作業者を、貨物列車の次の停車駅に向かわせることができる。このように、車両整備部門の監視者を向かわせることで、エンジン２２の焼き付けや、エンジン２２の長時間停止に伴うバッテリー切れを未然に防止することができる。
【００６０】
［６］まとめ
以上のように本実施形態によれば、端末装置４０１、４０２、４０３の何れかが通信サーバー装置３００にアクセスした際、各冷凍コンテナの現在位置や燃料残量を示す状態一覧表を端末装置によるメイン画面の表示に供する。そして、かかるメイン画面の状態一覧表において、オイル交換時期、又は、バッテリーチャージ時期が間近に迫っているものを特殊な態様で表示するので、端末装置４０１、４０２、４０３、４０４を操作する監視者の誰かに、オイル交換、又は、バッテリーチャージを早期に行うべき冷凍コンテナの存在を気づかせることができる。端末装置４０１、４０２、４０３・・・・４０５を操作する複数の監視者に対し、一斉の注意喚起を促すことで、オイル交換忘れやバッテリー切れに起因する低温輸送物の被害を最小限に留めることができる。
【００６１】
（第２実施形態）
第１実施形態では、端末装置が通信サーバー装置３００をアクセスする際、各冷凍コンテナの一覧表示を端末装置に行わせ、ＯＩＬ欄、ＢＡＴ欄の表示を通じてオイル交換、又は、バッテリーチャージを早期に行うべき冷凍コンテナがどれであるかを監視者に提示した。これに対して第２実施形態は、冷凍コンテナの一覧表示時において、監視者からリモートな制御指示を受け付け、かかるリモート制御指示に応じて、冷凍機運転のＯＮ／ＯＦＦ制御、エンジン回転のＯＮ／ＯＦＦ制御を実行する改良に関する。
【００６２】
端末装置４０１による冷凍機１０のリモート制御は、（１）冷凍機３０の周期的な制御状況の検出及び送信、（２）監視者に対する検出結果のフィードバック、及び、新たな制御内容の受け付け、（３）新たな制御内容に基づく冷凍機CPU1５に対する制御指示という（１）〜（３）の過程を経てなされる。以下、これらの過程の詳細について説明する。
［１］冷凍機３０の周期的な制御状況の検出及び送信
第１実施形態で述べたように、冷凍機１０は自身の状態検出を周期的に行っており、検出結果を示す冷凍機任意発呼電文を周期的に通信サーバー装置３００に送信している。図１０のフローチャートを参照しながら、かかる状態検出及び冷凍機任意発呼電文の送信について説明する。図１０は、冷凍機ＣＰＵは制御手順を示すフローチャートである。冷凍機ＣＰＵ１５は、ステップＳ１０１〜Ｓ１０４のループを実行する。このループは、監視周期が到来したか（ステップＳ１０１）、制御電文を受信したか（ステップＳ１０２）、温度センサー３７ａ、ｂ、ｃ、ｄの検出値がセット温度に達したか（ステップＳ１０３）、エンジントラブルが発生したか（ステップＳ１０４）を判定するものである。監視周期が到来した場合（ステップＳ１０１でＹｅｓ）、運転モードの設定、バックアップスィッチ１６の設定、リターン温度、ディスチャージ温度を取得する（ステップＳ１１１）。
【００６３】
リターン温度とは、冷凍機より吹き出された空気が、コンテナ庫内を循環してエバポレータ１１、１２に吸い込まれる際の温度であり、冷凍機１０が作動している場合に、エバポレータ１１、１２に設置された温度センサー３７ｆ、ｈにより検出される。ディスチャージ温度とは、上記のエバポレータ１１、１２の吸入口を介して冷凍機に吸い込まれた庫内の空気が、再度、庫内に吹き出される際の温度であり、冷凍機が作動している場合、エバポレータ１１、１２に設置された温度センサー３７ｇ、ｉにより検出される。
【００６４】
これに併せて、冷凍機１０の運転状態（加温状態であるか、冷却状態であるか、霜取状態であるか）を取得するのと共に、また庫室温度がセット温度に到達した場合の動作として、どのような運転モードが設定されているかを取得する。ここでの運転モードには、庫内温度がセット温度に到達した際、エンジン回転、及び、エンジン停止を交互に繰り返すモード（自動運転モード）と、庫内温度がセット温度に到達した際、エンジン回転、及び、エンジンの低速回転を繰り返すモード（連続運転モード）とが存在する。こうして得られた運転状態の情報、運転モードの情報を組み合わせることで、冷凍機運転を示す情報（冷凍機運転情報）を得る。こうして得た、温度制御情報、冷凍機運転情報を組み合わせることで冷凍機ＣＰＵ情報を形成して、冷凍機ＣＰＵ情報を含む冷凍機任意発信電文を、通信サーバー装置３００に送信する（ステップＳ１１２）。
【００６５】
［２］監視者への検出結果のフィードバック、及び、新たな制御内容の受け付け、
監視者に対する、周期的な検出結果のフィードバックは、一覧表示に対する対話制御時に実行される。図１１は、端末装置の画面操作に応じた処理手順を示すフローチャートである。本フローチャートにおいて変数「ｊ」は、状態一覧データで一覧表示されている複数のコンテナ行のうち、監視者による操作がなされたものを指示する変数である。
【００６６】
メイン画面の画像データを端末装置に送信した後、通信サーバー装置３００は図１１のステップＳ５１〜Ｓ５３からなるループを実行する。かかるループでは、コンテナ行ｊの都道府県名がクリックされたか（ステップＳ５１）、コンテナ行ｊの温度欄Ｃ４がクリックされたか（ステップＳ５２）、コンテナ行ｊの制御欄Ｃ３がクリックされたか（ステップＳ５３）の判定を行っている。
【００６７】
何れかのコンテナ行ｊの都道府県名がクリックされた場合（ステップＳ５１でYes）、冷凍コンテナ１０１の現在位置が属する地区の地図画像を形成して端末装置４０１に送信し（ステップＳ５６）、ステップＳ５１〜ステップＳ５４のループに戻る。以上の画像形成及び送信により、端末装置４０１の画面では、図１２の矢印ｓｗ２に示すように、メイン画面ｍ０から地図画面ｍ２への画面切り替えが実行される。
【００６８】
何れかのコンテナ行の温度欄がクリックされた場合（図１１のステップＳ５２でYes）、現在から所定の時間だけ遡った時間範囲における温度遷移グラフを形成して、要求元の端末装置４０１に送信示する（ステップＳ５７）。以上の画像形成及び送信により、図１２の矢印ｓｗ３に示すように、メイン画面ｍ０から温度遷移グラフ画面ｍ３への画面切り替えが実行される。
【００６９】
ここで、送信元の冷凍コンテナに対応するコンテナ行の制御欄が、端末装置４０１を操作するユーザによりクリックされたとする。この場合、図１１のステップＳ５３がＹｅｓになり、ステップS58〜S60の処理を実行する。具体的にいうと、始めに、冷凍機における制御内容のフィードバックのためのインディケータと、制御内容の変更操作を受け付けるためのボタンとを画面に配置する（ステップＳ５８）。これらのインディケータ配置、ボタン配置により、図１３の制御画面が作成される。図１３の制御画面は、制御コンソールＰ１、Ｐ２、Ｐ３、監視コンソールＰ４、地図画像ｍｐ１、温度推移グラフｇｆ０からなる。この制御画面の作成にあたって、コンテナ行に対応する冷凍コンテナから受信した最新の冷凍機任意発信電文に含まれる冷凍機ＣＰＵ情報の内容、過去に当該冷凍コンテナに発した制御内容に従い、冷凍機における制御内容のフィードバックのためのインディケータｉｒ１〜ｉｒ８の内容を定める。
【００７０】
これにより、図１３の制御画面の一例に示すように、冷凍機電源がＯＮされているかどうか（ｉｒ１）、バックアップスイッチ制御が有効になっているかどうか（ｉｒ２）、冷凍機の運転モードの現在の設定が、連続運転モードであるかどうか（ｉｒ３）、冷凍機の運転状態が、冷却運転中であるかどうか（ｉｒ４）、冷凍機の運転状態が、霜取運転中であるか否か（ｉｒ５）、エンジン回転がＯＮであるかどうか（ｉｒ６）、リターン温度がどの程度であるか（ｉｒ７）、ディスチャージ温度がどの程度であるか（ｉｒ８）といった、制御対象となる複数冷凍コンテナの最新の状態が制御コンソールＰ１、Ｐ２、Ｐ３に示される。同様の内容は、監視コンソールＰ４にも示される。
【００７１】
これらのインディケータに対応付けて、インディケータに示される状態内容、設定内容を受け付けるためのボタンｂｎ１〜ｂｎ１２を制御コンソールＰ１、Ｐ２に配置する。これにより、端末装置による制御モードを、監視モードに変更する変更指示や（ｂｎ１）、制御モードに変更する変更指示（ｂｎ２）、冷凍機の始動や停止（ｂｎ３、ｂｎ４）、バックアップスイッチ制御の有効化（ｂｎ５）、バックアップスイッチ制御の無効化（ｂｎ６）、連続運転モードへの運転モードの変更（ｂｎ７）、自動運転モードへの運転モードの変更（ｂｎ８）、霜取運転の開始（ｂｎ９）、エンジンが停止している場合の運転開始（ｂｎ１０）、エンジンのスタンバイ状態への移行（ｂｎ１１）が受け付け可能となる（ステップＳ５９）。
【００７２】
またセット温度の数値入力（ｎｍ１）や、数値入力の内容の確定操作（ｂｎ１２）も受け付け可能になる。以上の制御コンソールＰ１、Ｐ２、Ｐ３、監視コンソールＰ４を含む制御画面が、端末装置４０１に配置される。かかる制御コンソールＰ１、Ｐ２のボタンに対する設定入力や、数値入力がユーザによりなされれば、当該設定入力、数値入力を示す冷凍機ＣＰＵ情報を作成し、当該冷凍機ＣＰＵ情報を含む制御電文を、対象となる冷凍コンテナｘに送信する（ステップＳ６０）。
【００７３】
［３］新たな制御内容に基づく冷凍機CPUによる制御
図１０のフローチャートを再度参照して、制御電文受信時の冷凍機ＣＰＵの動作について説明する。新たな制御電文が冷凍コンテナ１０１によって受信されると（ステップＳ１０２でＹｅｓ）、冷凍機１０の現在の状態が冷凍機ＯＦＦであり、端末装置４０１から送信されてきた最新の制御電文は、冷凍機１０の運転ＯＮを示すかどうかを判定する（ステップＳ１２１）。もしそうであれば、冷凍機１０の運転をＯＮにする（ステップＳ１２２）。一方、エンジン２２の現在の状態が回転ＯＦＦであり、冷凍機１０から送信されてきた最新の制御電文は、エンジン回転ＯＮを示すかどうかを判定する（ステップＳ１２３）。もしそうである場合（Ｓ１２３でＹｅｓ）、エンジン回転を開始する（ステップＳ１２４）。
【００７４】
次に、冷凍機１０のセット温度は、制御電文のセット温度と同じであるかを判定する（ステップＳ１２５）。同じである場合、制御電文におけるセット温度を冷凍機１０にセットし、セット温度になるよう、冷凍機における送風量を制御する（ステップＳ１２６）。
続くステップＳ１２７において、冷凍機ＣＰＵ１５は、冷凍機１０の運転モード設定、バックアップスイッチ設定は、制御電文の運転モード設定、バックアップスイッチ設定と同じであるかどうかを判定する（ステップＳ１２７）。異なるなら、制御電文に従い、冷凍機の運転状態、セット温度到達後の運転モード、バックアップスイッチを設定する（ステップＳ１２８）。
【００７５】
温度センサー３７ａ、ｂ、ｃ、ｄの検出値が、セット温度に達した場合（ステップＳ１０３でＹｅｓ）、冷凍機ＣＰＵ１５は、冷凍機１０の運転モードが、連続運転モードに設定されているか、自動運転モードに設定されているかの判定を行う（ステップＳ１３１）。自動運転モードの設定時において（ステップＳ１３１でＹｅｓ）、セット温度と庫内温度との差に従い、高速回転と、エンジン停止とを繰り返す（ステップＳ１３２）。
【００７６】
連続運転モードの設定時では（Ｓ１３１でＮｏ）、冷凍機ＣＰＵ１５は、セット温度と庫内温度との差に従い、高速回転と低速回転とを繰り返す（ステップＳ１３３）。
冷凍機にトラブルが発生した場合（ステップＳ１０４でＹｅｓ）、冷凍機ＣＰＵ１５は、バックアップスィッチがＯＮかどうかを判定する（ステップ１３４）。バックアップスィッチがＯＮであれば（ステップＳ１３４でＹｅｓ）、エンジンの低速運転を開始させる（ステップＳ１３５）。バックアップスィッチがＯＦＦであれば（ステップＳ１３４でＮｏ）、エンジンを停止させる（ステップＳ１３６）。
【００７７】
冷凍コンテナが青函停止エリアに進入する際、以上の制御画面を通じて、エンジン停止の指示、及び、エンジン回転の再開の指示を監視者から受け付けることで、青函停止エリアの通過を円滑に行うことができる。
尚、青函停止エリアについては、上記制御画面を経ることなく、自動的にエンジン２２の停止・動作再開が実行される。具体的にいうと、冷凍機ＣＰＵ１５には、エリアの地理的範囲を示すＧＰＳ座標（緯度、経度の組からなる）が設定されている。かかる地理的範囲に冷凍コンテナが進入すると、ＧＰＳ情報処理部３１は、青函停止エリアのＧＰＳ座標を示す信号を受信する。かかる信号に基づき、冷凍機ＣＰＵ１５は、青函停止エリアへの進入を検知し、エンジン２２を自動的に停止する。
【００７８】
また、地理的範囲から冷凍コンテナが離脱すると、ＧＰＳ情報処理部３１は、青函停止エリア以外の地域のＧＰＳ座標を示す信号を受信する。かかる信号に基づき、冷凍機ＣＰＵ１５は、青函停止エリアからの離脱を検知し、エンジン２２の回転を自動的に再開させる。
［４］まとめ
以上のように本実施形態によれば、冷凍機から周期的に送信される冷凍機任意発呼電文に、冷凍機ＣＰＵ情報を含ませて、サーバー装置３００に通知し、一覧表示において、何れかのコンテナ行の制御欄がクリックされた場合、その冷凍機ＣＰＵ情報の内容に応じたインディケータを端末装置に表示させ、対話的な操作により、冷凍機の制御内容の変更操作をユーザから受け付けるから、冷凍機運転のＯＮ／ＯＦＦの切り替えや、冷凍機エンジンＯＮ／ＯＦＦの切り替えが容易になる。
【００７９】
（その他の変形例）
以上、本発明を実施の形態に基づいて説明してきたが、本発明が上述の実施の形態に限定されないのは勿論であり、以下のような変形例を実施することができる。
（変形例１）
複数コンテナ行のうち、何れかのものの温度欄がクリックされた場合は、前室温度、吹出口温度、外気温度のそれぞれについて、温度の時間的遷移を表すことが望ましい。図１４は、温度推移画像の作成手順を示すフローチャートである。現在時刻から２１時間前までの１時間刻みの時間範囲を横軸方向とし、−３０℃から＋３０℃までの１℃刻みの温度範囲を縦軸とする座標系を作成して（ステップＳ７１）、現在時刻から２１時間前までに受信した応答電文における前室温度、吹出口温度、外気温度を上記座標系にプロットする（ステップＳ７２）。
【００８０】
その後、プロットされた前室温度、吹出口温度、外気温度を折れ線で結び（ステップＳ７３）、図１５の温度推移グラフを得る。本図の横軸は、現在時点から所定の時間だけ遡った範囲を示し、縦軸は、庫室のセンサにより検出され得る温度範囲を示す。
温度推移グラフg1は、エバポレータ２３の吹出口温度、前室温度、外気温度のそれぞれがどのように推移するかを示す。図中の折れ線LＧ1,LＧ2,LＧ3は、２１時間前から現在までの時間範囲において、冷凍機の吹出口の温度、庫室内の温度、外気温度のそれぞれどのように変化しているかを示す
次に、温度推移グラフの座標系の横軸方向に沿って、４本の帯グラフを描画する（ステップＳ７４）。ドアグラフｇ２は、現在から２１時間過去を遡った時間範囲におけるドアの開閉状態を示す。
【００８１】
地区グラフｇ３は、監視対象となる冷凍コンテナが、複数時点のそれぞれにおいて、複数の地区のうち、何れに所在していたか、画面右上に表示された都道府県名の注釈ｒｍ１に対応した表示色（図中では、ハッチングパターンで現す）で示す。
アラートグラフｇ４は、現在時点から２１時間前までの時間範囲のうち、アラートが作動していた時間帯と、それ以外の時間帯とを異なる表示態様で示す。
【００８２】
前室グラフｇ５は、現在時点から２１時間前までの時間範囲のうち、冷却状態となる時間帯、加温状態となる時間帯、霜取状態となる時間帯を異なる表示態様で示す。
そして、各測位時刻におけるドア状態、所在地区、アラーム状態、前室冷凍機状態に応じて、各帯グラフの各表示態様を設定する（ステップＳ７４）。これらの処理で、温度遷移表が完成する。完成後、通信サーバー装置３００は、完成した温度遷移表を端末装置に送信する。
【００８３】
以下、温度推移グラフに示される温度推移を説明する。外気温度は、本図の折れ線LＧ３に示すように、１６〜２５℃の範囲で変化している。一方、吹出口温度は、折れ線LＧ１に示すように冷凍機の運転期間（冷凍機が起動してから停止するまでの時間であり、ＡＭ２時からＡＭ８時まで）において、常温から極低温まで（２２℃から−２９℃まで）低下している。これらＬＧ１、ＬＧ２に示すように庫内温度は、吹出口の温度を少し上回るレベルで変化している。
【００８４】
庫内温度は、折れ線LＧ２に示すように、急減に上昇している。この庫内温度の上昇幅は、上昇開始直後は大きく）、時間経過に伴い小さくなる（ΔＴ１、ΔＴ２、ΔＴ３、ΔＴ４、ΔＴ５）。温度推移表の選択により、直近の時間範囲の吹出口温度、庫内温度の変化傾向が明らかになるから、コンテナの保管状態がどのようなものであるかの把握が可能になる。
【００８５】
（変形例２）
冷凍機のトラブルの報知機能をもたせてもよい。つまり、冷凍機１０に予め想定されている複数種のトラブルの何れかが発生した際、冷凍機ＣＰＵ１５は、そのトラブルに割り当てられたコード（アラートコード）を出力する。想定されるトラブルとしては、エバポレータにおける加熱異常の発生、コンプレッサの加熱異常の発生、コンプレッサの高圧異常又は低圧異常の発生、エンジン室温の異常発生、エンジンの始動／再始動不能、エンジン異常、バッテリー電圧降下異常といったものがある。かかるトラブルが発生した際、これらに割り当てられたアラートコードを電文に含ませて送信させることで、トラブル発生を管理者に周知させるのが望ましい。
【００８６】
（変形例３）
冷凍コンテナによる運輸の登録にあたっては、図１６（ａ）に示すような画面を表示し、列車一覧表に対する操作を通じて運行登録を受け付けてもよい。
図１６（ａ）の運行登録画面には、列車一覧表ｔａ１に対応付けて、プルダウンリストｐｕ１１、１２、１３が配置されている。列車一覧表ｔａ１は、列車コードのそれぞれ（図中の回路１０７０、１０５０、１０５８、２０７０・・・）に対応付けて、編成数や出発地、到着地、〆切時刻、発車時刻、入線時刻、ホームを表示する内容になっている。またプルダウンリストは、ＪＲ発送を選択するか（ｐｕ１１）、コンテナの荷積みをどの地点で行うか（ｐｕ１２）、委託会社として、どの事業者を使用するか（ｐｕ１３）の選択を受け付けるものである。
【００８７】
かかる列車一覧表から何れかの列車を選択して、発送すべき冷凍コンテナの形式番号や社内番号、降地、降日、積荷の品名、荷主、設定温度の情報を入力することで運行登録を行う。
（変形例４）
一覧表の表示時において、運送業務の依頼者や運輸局等の公共機関に提出する提出書類の作成指示を受け付け、当該作成指示に従い、提出書類の作成を実行してもよい。
【００８８】
そのような提出書類として、図１６（ｂ）におけるＪＲコンテナ発送表、図１７（ａ）におけるＪＲコンテナ稼働表、図１７（ｂ）における検温表がある。
図１６（ｂ）のＪＲコンテナ発送表は、複数のコンテナ行ｒ２1、ｒ２２、ｒ２３、ｒ２４からなる。各コンテナ行ｒ２1、ｒ２２、ｒ２３、ｒ２４は、１編成のコンテナ列車に搭載される冷凍コンテナのそれぞれに対応していて、複数の行項目ｃ２１、ｃ２２、ｃ２３、ｃ２４、ｃ２５・・・・・を有する。個々の行項目は、搭載される一個の冷凍コンテナが、どのような形式番号を有するか（ｃ２1）、どのような社内番号を有するか（ｃ２２）、降地はどこか（ｃ２３）、何日に積荷を降ろすか（ｃ２４）、積荷の品名はなにか（ｃ２５）、荷主はなんという事業者か（ｃ２６）、設定温度は何度か（ｃ２７）を明示するようになっている。
【００８９】
図１７（ａ）のJＲコンテナ稼働表は、横軸を一か月の個々の日付とし、縦軸を日本国内の都道府県とした座標系において、出発点ｓｔ１、ｓｔ２、ｓｔ３、ｓｔ４、ｓｔ５と、到着点ｄｓ１、ｄｓ２、ｄｓ３、ｄｓ４、ｄｓ５とをプロットして、プロット点を線ｌｉ１、２、３、４、５で結ぶことで、特定の冷凍コンテナの稼働状況を示すものである。
図１７（ｂ）の検温表は、各冷凍コンテナの行程ｃｓ１、２、３、４・・・のそれぞれに対応するコンテナ行からなる。個々のコンテナ行は、これらの行程に、複数の行項目ｃ３２、ｃ３３、ｃ３４、ｃ３５・・・・・を対応付けている。各行程を進行する冷凍コンテナの積荷はどのようなものか（ｃ３２）、指示温度やセット温度、庫内温度がどのようなものか（ｃ３３）、現在地がどこか（ｃ３４）、温度測位の時間がいつであるか（ｃ３５）、降予定日がいつであるか（ｃ３６）、運転状態がどのような状態であるか（ｃ３７）を明示するようにしている。かかる検温表を作成して所定の用紙に印刷することで、運行業務の依頼者に対する書類提出を、迅速に行うことができる。
【００９０】
（変形例５）
ＧＰＳ情報処理部３１、動態情報処理部３２は、図１８の斜視図に示すように、免振ボックス３０ｂに収容して、GPS情報処理部３１がＧＰＳ衛星からの信号を受信するためのＧＰＳアンテナ３１ａ、電文送受信部３９が電文の送受信を行うための通信アンテナ３９ａと共に、冷凍コンテナの側部１０１ｒの梯子１０１ｂに取り付けることが望ましい。また冷凍コンテナの台車には、エアサスペンション機構を設けることが望ましい。これらの採用により、ＧＰＳ情報の精度を維持することができるからである。
【００９１】
（変形例６）
上記の冷凍コンテナ管理システムは、コンピュータシステムを指し、1つ以上のコンピュータから構成されれば足りる。例えば、クラウドサーバが端末に対してゲストOSを起動し、かかるゲストOS上で起動したアプリケーションにより処理を行うクラウドコンピュータシステムのほか、クライアントからの要求に応じて、サーバが情報提供を行うクライアント−サーバシステム、コンピュータ同士がピアツーピア接続を行うコンピュータシステム、コンピュータがグリッドとして機能し、分散処理を行うグリッドコンピュータシステムを広く含む。
【００９２】
また端末装置は、マウス、キーパッド等のポインティングデバイスで操作するラップトップパソコン、ノートパソコン、スマートフォン、タブレット端末、レジ機端末を広く含む。これらの全ての下位概念について実施の形態を述べると説明が煩雑になり望ましくない。そこで、第１、第２実施形態では、スマートフォンが端末装置であるとした。
また状態一覧表示のためのメイン画面、冷凍コンテナ制御のための制御画面、温度遷移表示のための温度遷移画面、運行登録画面は、様々なウィジェット（Widget）を組み合わせて構築されたGUIの一例に過ぎない。各実施形態の画面イメージは、複数冷凍コンテナの状態管理を効率化するという目的のためのものならば、どのようなものでもよい。具体的にいうと、状態一覧表示のためのメイン画面、冷凍コンテナ制御のための制御画面、温度遷移表示のための温度遷移画面、運行登録画面は、以下のような方針で作成されたGUIを広く包含する。
【００９３】
一覧表示に供された何れかのコンテナ行に関する何等かの選択を受け付けたい場合、画面構成部７は、「トグルボタン」、「ラジオボタン」、「リストボックス」、「スライダー」、「チェックボックス」、「スピンボタン（ドロップダウンリスト）」、「ツールバー」、「コンボボックス」、「アイコン」、「ツリービュー」といったウィジェットを対話画面の構成に用いる。
【００９４】
コンテナ行の表示にあたって、ユーザの操作を誘導したい場合、「タブ」、「スクロールバー」といったウィジェットを対話画面の構成に用いる。
コンテナ行表示に対するテキスト入力をユーザから受け付けたい場合、「テキストボックス」、「コンボボックス」といったウィジェットを対話画面の構成に用いる。
コンテナ行表示にあたって、ユーザ操作に対する応答をユーザにフィードバックする場合、「ラベル」、「ツールチップ」、「バルーンヘルプ」、「プログレスバー」、「インフォバー」等のウィジェットを対話画面の構成に用いる。
【００９５】
コンテナ行をマークアップ言語で記述して表示しようとする際、「モーダルウィンドウ」、「パレットウィンドウ」等のウィジェットを対話画面の構成に用いるのが望ましい。
【産業上の利用可能性】
【００９６】
本発明では、鉄道運送と、自動車運送とを組み合わせつつも、鉄道運送の介在を顧客に意識させないドアツードア複合輸送を実現することができ、二酸化炭素の大幅削減が可能になる。このようなドアツードア複合輸送の実現により、食品業界や薬品業界、また物流業界で利用される可能性がある。
【符号の説明】
【００９７】
１    電文処理部
２Ｃ1、Ｃ2、Ｃ3、Ｃ4・・・Ｃｎ  オイル交換タイマー
３Ｃ1、Ｃ2、Ｃ3、Ｃ4・・・Ｃｎ    バッテリーチャージタイマー
４    燃料残量テーブル
５    温度履歴テーブル
６    運行登録情報データベース
７    画面構成部
１０    冷凍機
１１、１２    エバポレータ
１３    コンプレッサ
１４    コンデンサ
１５    冷凍機ＣＰＵ
２０    冷凍機駆動部
２１    燃料タンク
２２    ディーゼルエンジン
２３    発電機
２４    バッテリー
２６    バックアップスイッチ
３０    遠隔センサー装置
３１    ＧＰＳ情報処理部
３２    動態情報処理部
３３    周波数センサー
３４    通電監視部
３５    ドアセンサー
３６    接点情報処理部
３７    温度センサー情報処理部
３８    燃料残量センサー
３９    電文送受信部
１００    箱体
１０１〜１０７    冷凍コンテナ
２００    移動体通信交換機
２０１    基地局
２１０、２１１    通信装置
３００    通信サーバ装置
４０１、４０２    端末装置
１００１    移動体通信網
１００２    データセンター
【図１】
2018179326.tif 000003
【図２】
2018179326.tif 000004
【図３】
2018179326.tif 000005
【図４】
2018179326.tif 000006
【図５】
2018179326.tif 000007
【図６】
2018179326.tif 000008
【図７】
2018179326.tif 000009
【図８】
2018179326.tif 000010
【図９】
2018179326.tif 000011
【図１０】
2018179326.tif 000012
【図１１】
2018179326.tif 000013
【図１２】
2018179326.tif 000014
【図１３】
2018179326.tif 000015
【図１４】
2018179326.tif 000016
【図１５】
2018179326.tif 000017
【図１６】
2018179326.tif 000018
【図１７】
2018179326.tif 000019
【図１８】
2018179326.tif 000020
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
複数の遠隔センサー装置と、サーバー装置と、端末装置とを含み、移動体通信ネットワークを通じて、複数冷凍コンテナの状態管理を行う冷凍コンテナ管理システムであって、
各冷凍コンテナは、エンジン、バッテリー、遠隔センサー装置を備え、前記遠隔センサー装置は、所定の監視周期が到来する度に、ＧＰＳ衛星から送信される送信信号に基づく現在位置の測位と、エンジン駆動が継続しているか否かの状態検出と、冷凍機運転が継続しているか否かの状態検出とを行い、移動体通信ネットワークを介して、測位結果及び検出結果を示す電文データを、サーバー装置に送信し、前記電文データは、送信元となる冷凍コンテナの識別番号と、前記測位及び状態検出がなされた時刻を示すタイムスタンプとを含み、
前記複数の冷凍コンテナは、前記エンジンにより駆動され、
前記サーバー装置は、作業者にオイル交換を促すためのオイル交換タイマーと、バッテリーチャージを促すためのバッテリーチャージタイマーとを冷凍コンテナ毎に有しており、
何れか１つの冷凍コンテナが具備する遠隔センサー装置の複数回の送信で送信される複数の電文データが、エンジン駆動の継続を示す場合、当該複数回の電文データの送信元として示される識別番号に対応する冷凍コンテナについてのオイル交換タイマーの計時値を、前記対応する冷凍コンテナの遠隔センサー装置における監視周期に基づき増加させ、
前記１つの冷凍コンテナが具備する遠隔センサー装置から送信される複数回の電文データが、エンジン停止を示す場合、当該複数回の電文データの送信元として示される識別番号に対応する冷凍コンテナについてのバッテリーチャージタイマーの計時値を、前記対応する冷凍コンテナの遠隔センサー装置における監視周期に基づき増加させ、
前記サーバー装置は、前記オイル交換タイマー、及び、バッテリーチャージタイマーの計時値に基づくアラートを前記端末装置に実行させ、前記アラートでは、前記複数の冷凍コンテナのうち、早期にオイル交換、又は、バッテリーチャージを実行すべきものがどれであるかを特定する
ことを特徴とする冷凍コンテナ管理システム。
【請求項２】
前記サーバー装置は、各冷凍コンテナの運行情報を管理するためのデータベースを構築しており、前記端末装置に対する入力操作に従い、前記データベースに対する運行情報の新規登録、変更、削除を実行し、各運行情報は、各冷凍コンテナの識別番号、行程、積荷、荷主を示し、
前記遠隔センサー装置から送信される電文データに含まれる現在位置に基づき、運行情報の登録の対象となった複数冷凍コンテナのそれぞれが、何処に存在するかを示す一覧表示を端末装置に実行させ、
前記アラートでは、前記一覧表示のうち、冷凍コンテナに対応する項目の表示態様を変化させることで、早期にオイル交換、又は、バッテリーチャージが必要な冷凍コンテナを特定する
ことを特徴とする請求項１の冷凍コンテナ管理システム。
【請求項３】
前記冷凍コンテナのエンジンには、フライホイールセンサーが設けられており、遠隔センサー装置は、フライホイールセンサーが出力する出力信号の周波数が２０Ｈｚを下回る場合、エンジン駆動が継続していないとの状態検出を行い、前記出力信号の周波数が２０Ｈｚを上回る場合、エンジン駆動が継続しているとの状態検出を行い、
何れかの冷凍コンテナが具備する遠隔センサー装置から後続して送信される複数の電文データが、所定時間以上のエンジン駆動の継続を示す場合、当該冷凍コンテナに対応するバッテリーチャージタイマーの計時値をリセットする
ことを特徴とする請求項１記載の冷凍コンテナ管理システム。
【請求項４】
何れかの冷凍コンテナが具備するエンジンについて、オイル交換がなされた旨を含む電文データが、何れかの端末装置から発せられた場合、当該冷凍コンテナに対応するオイル交換タイマーの計時値をリセットする
ことを特徴とする請求項１記載の冷凍コンテナ管理システム。
【請求項５】
前記遠隔センサー装置によって送信される電文データは、温度センサーの検出値を含み、
前記サーバー装置は、
複数の冷凍コンテナのうち、特定の冷凍コンテナに取り付けられた遠隔センサー装置から周期的に送信されてきた複数の電文データから、温度センサーの検出値を取り出して、特定コンテナの温度履歴として保持しており、
前記特定冷凍コンテナについての温度遷移表示が要求された場合、特定コンテナについての温度履歴に基づき、現在時刻から一定の時間遡った範囲の冷凍コンテナの温度推移を示すグラフを作成して、端末装置に表示させる
ことを特徴とする請求項１記載の冷凍コンテナ管理システム。